(57)【要約】【課題】  操作ボタンの操作方向性が素早く判断出来るとともに、戸開案内表示の見落としを無くすことが出来るエレベータのかご内誘導装置を提供する。【解決手段】  ２方向に出入口があり、貫通階のあるエレベータの乗りかご内のリターンパネル部分に設置されるかご内誘導装置１において、それぞれの出入口側に対応する操作ボタンを前方操作のボタンと後方操作のボタンに分け、前方側操作のボタン、すなわちこちら側行先階ボタン６およびこちら側戸開ボタン７を左側に、後方側操作のボタン、すなわちうしろ側行先階ボタン９およびうしろ側戸開ボタン１０を右側に配列するとともに、操作誘導の案内表示、すなわちこちら側操作案内表示８およびうしろ側操作案内表示１１を設ける。これにより、操作ボタンの操作方向性が素早く判断出来る。【選択図】  図１
2005280886.tif 000002
【特許請求の範囲】
【請求項１】
２方向に出入口があり、貫通階のあるエレベータの乗りかご内のリターンパネル部分に設置されるかご内誘導装置において、それぞれの出入口側に対応する操作ボタンを前方操作のボタンと後方操作のボタンに分けて左右に分類し、前方側操作のボタンを左側に、後方側操作のボタンを右側に配列して、かご内誘導装置に対面した方向性を示す操作誘導の案内表示の手段を備えたことを特徴とするエレベータのかご内誘導装置。
【請求項２】
２方向に出入口があり、貫通階のあるエレベータの乗りかご内のリターンパネル部分に設置されるかご内誘導装置において、それぞれの出入口側に対応する操作ボタンを前方操作のボタンと後方操作のボタンに分けて上下に分類し、前方側操作のボタンを上部側に、後方側操作のボタンを下部側に配列して、かご内誘導装置に対面した方向性を示す操作誘導の案内表示の手段を備えたことを特徴とするエレベータのかご内誘導装置。
【請求項３】
２方向に出入口があり、貫通階のあるエレベータの乗りかご内の側板に設置されるかご内誘導装置において、左側と右側の出入口に対応する操作ボタンを左側操作のボタンと右側操作のボタンに分けて左右に分類し、左側操作のボタンを左側に、右側操作のボタンを右側に配列して、かご内誘導装置に対面した方向性を示す操作誘導の案内表示の手段を備えたことを特徴とするエレベータのかご内誘導装置。
【請求項４】
請求項１乃至請求項３のいずれかに記載のエレベータのかご内誘導装置において、前記乗りかごのそれぞれの出入口側のかご戸を色分けし、分類された前記操作のボタンの案内表示を、それぞれの対応する出入口側のかご戸の色に合わせ、色分けすることを特徴とするエレベータのかご内誘導装置。
【請求項５】
請求項１乃至請求項４のいずれかに記載のエレベータのかご内誘導装置において、分類された前記操作のボタンの形状を、分類毎に異なる形状としたことを特徴とするエレベータのかご内誘導装置。
【請求項６】
請求項１乃至請求項５のいずれかに記載のエレベータのかご内誘導装置において、操作誘導の案内表示領域内に手が触れたとき、その操作ボタンのサービス領域が、かご内誘導装置に対面して、前後または左右のいずれかであることの音声案内を報知する手段を備えたことを特徴とするエレベータかご内誘導装置。
【請求項７】
２方向に出入口があり、貫通階のあるエレベータの乗りかご内において、かごの幕板部に設置されている戸開案内をかご戸上部に映写して、戸開案内を表示する手段を備えたことを特徴とするエレベータのかご内誘導装置。
【発明の詳細な説明】
【技術分野】
【０００１】
本発明は、２方向に出入口があり貫通階のあるエレベータにおいて、それぞれの出入口側に対応する操作ボタンを、前方操作のボタンと後方操作のボタン、または左側操作のボタンと右側操作のボタンに分けて分類し配列して、操作誘導の案内表示を設けてエレベータ乗客のかご内ボタン操作をスムーズに誘導するための、かご内誘導装置に関するものである。
【背景技術】
【０００２】
一般的に、２方向に出入口があり、貫通階のあるエレベータでは、エレベータの乗りかごの出入口付近およびかご操作盤に正面・背面の識別標識があり、操作ボタン付近にも正面・背面の識別標識が設置されており、正面・背面の識別標識により操作ボタンを選択していた。
【０００３】
この従来例について、図を参照して更に説明する。
【０００４】
まず、図１２〜図１５は、従来例の貫通階のあるエレベータ乗りかごの全体の構成を示す図であり、図１２、図１３、図１４はそれぞれ乗りかごの内側から見た正面図、側面図、背面図、また図１５はその平面図である。図１５に示すように、乗りかごの正面・背面の２方向にかご戸６１があり、図１２および図１４に示すように、乗りかご内の、例えばかご戸６１の右側上方付近に、正面側銘板６８、背面側銘板６９をそれぞれ設置して、エレベータ乗りかごの乗客に、出入口側の識別ができるようにしていた。なお、図１６の（ａ）および（ｂ）に、正面側銘板６８、背面側銘板６９をそれぞれ拡大して示す。また、図１２および図１４に示すように、かご戸６１の上方のかご幕板６２には、戸開案内表示灯６７を設置して、戸開案内を行うようにしていた。なお、図１６の（ｃ）に、戸開案内表示灯６７を拡大して示す。
【０００５】
そして、このエレベータ乗りかご内のリターンパネル部分、またはエレベータ乗りかご内の側板には、かご内誘導装置（図１２〜図１５においては、図示せず。）が設けられている。
【０００６】
図１７および図１８は、従来例のエレベータ乗りかご内のリターンパネル部分に設けられたかご内誘導装置の主要構成を示すもので、図１７は正面側に設けられたかご内誘導装置（かご内主誘導装置）、また図１８は背面側に設けられたかご内誘導装置（かご内副誘導装置）を示すものである。図１７および図１８に示すように、かご内主誘導装置７１の上部には正面側銘板６８を、かご内副誘導装置７１の上部には背面側銘板６９をそれぞれ設置するとともに、いずれのかご内誘導装置７１においても、正面の出入口側に対応する操作ボタン列の上部にはボタン用正面側銘板７８を、背面の出入口側に対応する操作ボタン列の上部にはボタン用背面側銘板８１をそれぞれ設置していた。
【０００７】
図１９および図２０は、従来例のエレベータの乗りかご内の側板に設けられた横形のかご内誘導装置の主要構成を示すもので、図１９は一方の側板に設けられたかご内誘導装置（かご内主誘導装置）、また図２０は他方の側板に設けられたかご内誘導装置（かご内副誘導装置）を示すものである。図１９および図２０に示すように、いずれのかご内誘導装置においても、正面の出入口側に対応する操作ボタン列にはボタン用正面側銘板９４を、背面の出入口側に対応する操作ボタン列にはボタン用背面側銘板９７をそれぞれ設置していた。
【発明の開示】
【発明が解決しようとする課題】
【０００８】
上記のように、従来の２方向に出入口があり、貫通階のあるエレベータでは、乗りかごの出入口付近に設置された正面用と背面用の識別標識を基に、正面・背面用の操作ボタンを識別し選択することになっていた。
【０００９】
ところが、実際エレベータの乗客は、出入口付近に設置されている正面用と背面用の識別標識まで、目が届き難く、正面側・背面側の識別認識が困難であるという問題があった。
【００１０】
従って、従来例のかご内誘導装置においては、その操作ボタン付近の正面用と背面用の識別標識の理解に困難があって、正面・背面の方向性判断にも難点があり、利用上大変問題があった。
【００１１】
このように、従来の２方向に出入口があり、貫通階のあるエレベータは、使い慣れていない人にとって、エレベータ出入口の方向性判断に利用上理解し難い、問題のある乗り物であった。
【００１２】
さらに、従来の２方向出入口の貫通階のあるエレベータでは、いずれの出入口側のかご戸が開くかを案内する戸開案内表示灯が、かご幕板に設置されているため、戸開案内表示を見落とし易いという問題があった。
【００１３】
本発明の目的は、操作ボタンをそれぞれの出入口側用に分類し、方向性を示すことにより、そのエレベータを初めて利用する方でも、迷わず自分の目的とする操作ボタンのグループ判断が容易となることで、操作方向性が素早く判断出来るエレベータのかご内誘導装置を提供することにある。
【００１４】
また、本発明の目的は、戸開案内を、見易い位置に表示することにより、戸開案内表示の見落としを無くすことが出来るエレベータのかご内誘導装置を提供することにある。
【課題を解決するための手段】
【００１５】
請求項１に対する発明は、２方向に出入口があり、貫通階のあるエレベータの乗りかご内のリターンパネル部分に設置されるかご内誘導装置において、それぞれの出入口側に対応する操作ボタンを前方操作のボタンと後方操作のボタンに分けて左右に分類し、前方側操作のボタンを左側に、後方側操作のボタンを右側に配列して、かご内誘導装置に対面した方向性を示す操作誘導の案内表示の手段を備えたことを特徴とするものである。
【００１６】
請求項２に対する発明は、２方向に出入口があり、貫通階のあるエレベータの乗りかご内のリターンパネル部分に設置されるかご内誘導装置において、それぞれの出入口側に対応する操作ボタンを前方操作のボタンと後方操作のボタンに分けて上下に分類し、前方側操作のボタンを上部側に、後方側操作のボタンを下部側に配列して、かご内誘導装置に対面した方向性を示す操作誘導の案内表示の手段を備えたことを特徴とするものである。
【００１７】
請求項３に対する発明は、２方向に出入口があり、貫通階のあるエレベータの乗りかご内の側板に設置されるかご内誘導装置において、左側と右側の出入口に対応する操作ボタンを左側操作のボタンと右側操作のボタンに分けて左右に分類し、左側操作のボタンを左側に、右側操作のボタンを右側に配列して、かご内誘導装置に対面した方向性を示す操作誘導の案内表示の手段を備えたことを特徴とするものである。
【００１８】
請求項４に対する発明は、２請求項１乃至請求項３のいずれかに記載のエレベータのかご内誘導装置において、前記乗りかごのそれぞれの出入口側のかご戸を色分けし、分類された前記操作のボタンの案内表示を、それぞれの対応する出入口側のかご戸の色に合わせ、色分けすることを特徴とするものである。
【００１９】
請求項５に対する発明は、請求項１乃至請求項４のいずれかに記載のエレベータのかご内誘導装置において、分類された前記操作のボタンの形状を、分類毎に異なる形状としたことを特徴とするものである。
【００２０】
請求項６に対する発明は、請求項１乃至請求項５のいずれかに記載のエレベータのかご内誘導装置において、操作誘導の案内表示領域内に手が触れたとき、その操作ボタンのサービス領域が、かご内誘導装置に対面して、前後または左右のいずれかであることの音声案内を報知する手段を備えたことを特徴とするものである。
【００２１】
請求項７に対する発明は、２方向に出入口があり、貫通階のあるエレベータの乗りかご内において、かごの幕板部に設置されている戸開案内をかご戸上部に映写して、戸開案内を表示する手段を備えたことを特徴とするものである。
【発明の効果】
【００２２】
本発明によれば、かご内誘導装置において、操作側毎に操作ボタンを分類し、操作側を示す操作誘導の案内表示の手段を設けて、操作ボタンの方向性を容易に理解し、選択出来ることで、２方向に出入口があり、貫通階のあるエレベータを容易に利用出来る。
【００２３】
また、本発明によれば、かごの幕板部に設置されている戸開案内をかご戸上部に映写して、戸開案内を表示する手段を備えたことにより、いずれの出入口側のかご戸が開くかを案内する戸開案内表示の見落としを無くすことができ、貫通階のあるエレベータを容易に利用出来る。
【発明を実施するための最良の形態】
【００２４】
以下、本発明の実施の形態を図により説明する。
【００２５】
（第１実施形態）
本発明の第１実施形態は、２方向に出入口があり、貫通階のあるエレベータの乗りかご内のリターンパネル部分に設置されるかご内誘導装置において、かご内誘導装置上に、それぞれの出入口側に対応する操作ボタンを前方操作のボタンと後方操作のボタンに分けて左右に分類し、前方側操作のボタンを左側に、後方側操作のボタンを右側に配列して、操作誘導の案内表示の手段を備えたものである。
【００２６】
この第１実施形態の構成を、図１および図２に示す。
【００２７】
図１は、エレベータ出入口側の主側のリターンパネル部分に設置されるエレベータのかご内誘導装置（かご内主誘導装置）の主要構成を示すものである。また、図２はエレベータ出入口側の副側のリターンパネル部分に設置されるエレベータのかご内誘導装置（かご内副誘導装置）の主要構成を示すものである。
【００２８】
図１および図２に示すように、エレベータのかご内誘導装置１には、プレート２、エレベータ乗りかごから外部に連絡するための連絡用呼びボタン３、乗りかごが停止階に停止中、エレベータのドアを閉める戸閉ボタン４、両側共通案内表示５、２方向出入口の貫通階がある場合の前方向のこちら側行先階ボタン６、同じくこちら側戸開ボタン７、同じくこちら側操作案内表示８、前記記載とは逆方向のうしろ側行先階ボタン９、同じくうしろ側戸開ボタン１０、同じくうしろ側操作案内表示１１が設置されている。
【００２９】
すなわち、図１に示すかご内主誘導装置と、図２に示すかご内副誘導装置のいずれにおいても、かご内誘導装置１のプレート２上に、前方操作のボタンであるこちら側行先階ボタン６とこちら側戸開ボタン７とを左側に配列してこちら側操作案内表示８を設け、後方操作のボタンであるうしろ側行先階ボタン９とうしろ側戸開ボタン１０とを右側に配列してうしろ側操作案内表示１１を設けている。
【００３０】
以上のように、本実施形態においては、図１に示すかご内主誘導装置と、図２に示すかご内副誘導装置のいずれにおいても、かご内誘導装置１のプレート２上に、それぞれの出入口側に対応する操作ボタンを前方操作のボタンと後方操作のボタンに分けて左右に分類し、前方側操作のボタンを左側に、後方側操作を右側に配列して、かご内誘導装置に対面した方向性を示す操作誘導の案内表示の手段を備えている。このようにして、出入口側に対応する操作ボタンを、それぞれの出入口側用にグループ分けして分類配置させ、その分類配置した操作ボタンについてのかご内誘導装置に対面した方向性を示す操作誘導案内表示を設置して、エレベータ乗りかご内の乗客に対して、出入口側に対応する操作ボタンが瞬時に判断出来る工夫をしている。
【００３１】
（第２実施形態）
次に、本発明の第２実施形態について説明する。
【００３２】
上述の第１実施形態においては、２方向に出入口があり、貫通階のあるエレベータで、前方・後方に対応して左右に操作ボタンを分類配列したのに対して、この第２実施形態においては、出入口側に対応する操作ボタンを、前方操作のボタンと後方操作のボタンに分けて上下に分類し、前方側操作のボタンを上部側に、後方側操作のボタンを下部側に配列して、操作誘導の案内表示の手段を備えたものである。
【００３３】
この第２実施形態の構成を、図３および図４に示す。
【００３４】
図３はエレベータ出入口側の主側のリターンパネル部分に設置されるエレベータのかご内誘導装置（かご内主誘導装置）の主要構成を示すものである。また、図４はエレベータ出入口側の副側のリターンパネル部分に設置されるエレベータのかご内誘導装置（かご内副誘導装置）の主要構成を示すものである。
【００３５】
図３および図４に示すように、エレベータのかご内誘導装置２１にはプレート２２、エレベータ乗りかごから外部に連絡するための連絡用呼びボタン２３、乗りかごが停止階に停止中、エレベータのドアを閉める戸閉ボタン２４、両側共通案内表示２５、２方向出入口の貫通階がある場合の前方向のこちら側行先階ボタン２６、同じくこちら側戸開ボタン２７、同じくこちら側操作案内表示２８、そして前記記載とは逆方向のうしろ側行先階ボタン２９、同じくうしろ側戸開ボタン３０、同じくうしろ側操作案内表示３１が設置されている。
【００３６】
すなわち、図３に示すかご内主誘導装置と、図４に示すかご内副誘導装置のいずれにおいても、かご内誘導装置２１のプレート２２上に、前方操作のボタンであるこちら側行先階ボタン２６とこちら側戸開ボタン２７とを上部側に配列してこちら側操作案内表示２８を設け、後方操作のボタンであるうしろ側行先階ボタン２９とうしろ側戸開ボタン３１とを下部側に配列してうしろ側操作案内表示３１を設けている。
【００３７】
以上のように、本実施形態においては、図３に示すかご内主誘導装置と、図４に示すかご内副誘導装置のいずれにおいても、かご内誘導装置２１のプレート２２上に、それぞれの出入口側に対応する操作ボタンを前方操作のボタンと後方操作のボタンに分けて上下に分類し、前方側操作のボタンを上部側に、後方側操作を下部側に配列して、かご内誘導装置に対面した方向性を示す操作誘導の案内表示の手段を備えている。このようにして、出入口側に対応する操作ボタンを、それぞれの出入口側用にグループ分けして分類配置させ、その分類配置した操作ボタンについてのかご内誘導装置に対面した方向性を示す操作誘導案内表示を設置して、エレベータ乗りかご内の乗客に対して、出入口側に対応する操作ボタンが瞬時に判断出来る工夫をしている。
【００３８】
（第３実施形態）
次に、本発明の第３実施形態について説明する。
【００３９】
上述の第１実施形態、または第２実施形態においては、２方向に出入口があり、貫通階のあるエレベータで、かご内誘導装置がエレベータの出入口の前後方向に設置されるのに対して、この第３実施形態においては、かご内の左右の側板にそれぞれかご内誘導装置が設置されることで、出入口は、かご内誘導装置に面して左右となる。左側と右側の出入口に対応する操作ボタンを左右に分類し、左側操作のボタンを左側に、右側操作のボタンを右側に配列して、操作誘導の案内表示の手段を備えたものである。
【００４０】
この第３実施形態の構成を、図５および図６に示す。
【００４１】
図５はかご内の一方の側板に設置されるエレベータのかご内誘導装置（かご内主誘導装置）の主要構成を示すものである。また、図６は他方の側板に設置されるエレベータのかご内誘導装置（かご内副誘導装置）の主要構成を示すものである。
【００４２】
図５および図６に示すように、エレベータかご内誘導装置４１にはプレート４２、エレベータ乗りかごから外部に連絡するための連絡用呼びボタン４３、乗りかごが停止階に停止中、エレベータのドアを閉める戸閉ボタン４４、両側共通案内表示４５、が設置されるとともに、２方向出入口の貫通階がある場合における、仮にかご内主誘導装置に面した左側を基準とした、かご内主誘導装置の左側設置のこちら側行先階ボタン４６、同じくこちら側戸開ボタン４７、同じくこちら側操作案内表示４８、前記記載とは逆方向のこちら側行先階ボタン４９、同じくこちら側戸開ボタン５０、同じくこちら側操作案内表示５１、戸開側を表示させる戸開案内灯５２が設置されている。
【００４３】
前記記載の通り、図１、図２においては、出入口の前後の識別を左右のボタン配列として、その案内は、前後の誘導案内表示としている。図３、図４においては、出入口の前後の識別を上下のボタン配列として、その案内は、前後の誘導案内表示としている。ところが、本実施形態の構成を示す図５、図６においては、出入口の左右の識別を左右のボタン配列として、その案内は、左右の誘導案内表示としている。
【００４４】
以上のように、本実施形態においては、図５に示すかご内主誘導装置と、図６に示すかご内副誘導装置のいずれにおいても、かご内誘導装置４１のプレート４２上に、それぞれの出入口側に対応する操作ボタンを左側操作のボタンと右側操作のボタンに分けて左右に分類し、左側側操作のボタンを左側に、右側側操作を右側に配列して、かご内誘導装置に対面した方向性を示す操作誘導の案内表示の手段を備えている。このようにして、出入口側に対応する操作ボタンを、それぞれの出入口側用にグループ分けして分類配置させ、その分類配置した操作ボタンについてのかご内誘導装置に対面した方向性を示す操作誘導案内表示を設置して、エレベータ乗りかご内の乗客に対して、出入口側に対応する操作ボタンが瞬時に判断出来る工夫をしている。
【００４５】
（第４実施形態）
次に、本発明の第４実施形態について説明する。
【００４６】
本実施形態は、２方向に出入口があり、貫通階のあるエレベータにおいて、エレベータの乗りかご内のかご戸を色分けすると共に、上述の第１〜第３の実施形態に記載のかご内誘導装置の案内表示を、出入口側のかご戸の色に合わせ、色分け識別の手段を備えたものである。
【００４７】
図７〜図１０は、本発明の第４実施形態から第７実施形態までの、貫通階のあるエレベータ乗りかごの全体の構成を示す図であり、図７、図８、図９はそれぞれ乗りかごの内側から見た正面図、側面図、背面図、また図１０はその平面図である。
【００４８】
図１０に示すように、乗りかごの正面・背面の２方向にかご戸６１がある場合、一方のかご戸６１の色を第１の色とすると、もう一方のかご戸６１は、第１の色とは異なる第２の色とする。そして、乗りかごの出入口側の主側または副側のリターンパネル部分に設置されるエレベータのかご内誘導装置、あるいはかご内の左右の側板に設置されるエレベータのかご内誘導装置（図７〜図１０においては図示せず。）における案内表示（図１〜図６の、こちら側操作案内表示８、うしろ側操作案内表示１１、こちら側操作案内表示２８、うしろ側操作案内表示３１、こちら側操作案内表示４８、こちら側操作案内表示５１）のうち、第１の色のかご戸６１に対応する案内表示の部分は第１の色に、また第２の色のかご戸６１に対応する案内表示の部分は第２の色とする。
【００４９】
以上のように、本実施形態は、乗りかごのそれぞれのかご戸を色分けして、図１から図６で示したかご内誘導装置の操作誘導案内表示をそれぞれのかご戸の色に合わせ、色による識別判断の工夫をしている。
【００５０】
（第５実施形態）
次に、本発明の第５実施形態について説明する。
【００５１】
上述の第１〜第４の実施形態においては、図１〜図６に示すように、出入口側の方向によるかご内誘導装置の操作ボタン形状識別をしていない。これに対して、この第５実施形態においては、出入口側の方向によって、操作ボタン形状を角形・丸形形状に分類配置するものである（図示せず）。
【００５２】
図１０に示すように、乗りかごの正面・背面の２方向にかご戸６１がある場合、図１〜図６に示す乗りかごの出入口側の主側または副側のリターンパネル部分に設置されるエレベータのかご内誘導装置、あるいはかご内の左右の側板に設置されるエレベータのかご内誘導装置（図７〜図１０においては図示せず。）において、上下、または左右に分けて分類配置された操作のボタンのうち、一方のかご戸６１（すなわち一方の出入口）に対応する操作のボタンは、例えば角形に、そして他方のかご戸６１（すなわち他方の出入口）に対応する操作のボタンは例えば丸形にする。
【００５３】
以上のように、本実施形態は、出入口側の方向によって、操作ボタン形状を角形・丸形形状に分類配置し、かご内誘導装置の操作ボタン形状による識別判断の工夫をしている。
【００５４】
（第６実施形態）
次に、本発明の第６実施形態について説明する。
【００５５】
本実施形態は、上述の第１〜第４実施形態における図１〜図６の操作案内表示８、１１、２８、３１、４８、５１、または第５実施形態における操作案内表示（図示せず）に電気信号を通し、この操作案内表示領域内に手が触れたとき、その操作ボタンのサービス領域が、かご内誘導装置に対面して、前後または左右の音声案内を報知させるようにしたものである。
【００５６】
すなわち、本実施形態においては、かご内誘導装置の操作案内表示領域内に手が触れたとき、かご内誘導装置が設置されている乗りかご天井上部に設置されたスピーカにより、「こちら」、「うしろ」、「右」、「左」等の音声案内をして、音による操作誘導の工夫をしている。
【００５７】
（第７実施形態）
次に、本発明の第７実施形態について説明する。
【００５８】
本実施形態は、２方向に出入口があり、貫通階のあるエレベータの乗りかご内において、かごの幕板部に設置されている戸開案内をかご戸上部に映写して、戸開案内を表示する手段を備えたものである。
【００５９】
すなわち、前記記載の図７〜図１０の乗りかごの全体構成図に示すように、一般的にかごの２方向出入口のかご幕板６２に設置されている戸開案内表示灯６７で表示されている戸開案内を、それぞれの出入口側のかご幕板６２に設置されたプロジェクターまたはレーザー装置６３、６４等によって、かご戸６１の上部に映写して、戸開き側案内表示６５、６６として表示する。なお、図１１の（ａ）、（ｂ）はプロジェクターまたはレーザー装置６３、６４の部分をそれぞれ拡大して示し、同図（ｃ）、（ｄ）は戸開き側案内表示６５、６６の部分をそれぞれ拡大して示し、また同図（ｅ）は戸開案内表示灯６７の部分を拡大して示したものである。
【００６０】
このように、本実施形態では、従来かご幕板６２で表示していた、戸開案内表示灯６７を、プロジェクターまたはレーザー装置６３、６４によって、「こちらのドアが開きます」または「後ろのドアが開きます」の戸開き側案内表示６５、６６としてかご戸６１の上部に映写して表示することで、従来、見落とされていた乗りかごのかご幕板６２の部分の表示を、目の前のかご戸６１に表示することととなり、見落しを無くす工夫をしている。
【００６１】
なお、本実施形態は、上述の第１〜第６の実施形態のいずれかと組み合わせて実施することもできる。
【産業上の利用可能性】
【００６２】
本発明によれば、操作ボタンをそれぞれの出入口側用に分類し、方向性を示すことにより、そのエレベータを初めて利用する方でも、迷わず自分の目的とする操作ボタンのグループ判断が容易となることで、操作方向性が素早く判断出来るエレベータのかご内誘導装置を提供することができる。
【００６３】
また、本発明によれば、戸開案内を、見易い位置に表示することにより、戸開案内表示の見落としを無くすことが出来るエレベータのかご内誘導装置を提供することができる。
【図面の簡単な説明】
【００６４】
【図１】本発明の第１実施形態におけるエレベータのかご内主誘導装置の構成図。
【図２】本発明の第1実施形態におけるエレベータのかご内副誘導装置の構成図。
【図３】本発明の第２実施形態におけるエレベータのかご内主誘導装置の構成図。
【図４】本発明の第２実施形態におけるエレベータのかご内副誘導装置の構成図。
【図５】本発明の第３実施形態におけるエレベータのかご内主誘導装置の構成図。
【図６】本発明の第３実施形態におけるエレベータのかご内副誘導装置の構成図。
【図７】本発明の第４〜７実施形態におけるエレベータの乗りかごの全体構成を示すための正面図。
【図８】本発明の第４〜７実施形態におけるエレベータの乗りかごの全体構成を示すための側面図。
【図９】本発明の第４〜７実施形態におけるエレベータの乗りかごの全体構成を示すための背面図。
【図１０】本発明の第４〜７実施形態におけるエレベータの乗りかごの全体構成を示すための平面図。
【図１１】図７〜図１０の要部拡大図。
【図１２】従来例のエレベータの乗りかごの全体構成を示すための正面図。
【図１３】従来例のエレベータの乗りかごの全体構成を示すための側面図。
【図１４】従来例のエレベータの乗りかごの全体構成を示すための背面図。
【図１５】従来例のエレベータの乗りかごの全体構成を示すための平面図。
【図１６】図１２〜図１５の要部拡大図。
【図１７】従来例のエレベータのかご内主誘導装置（リターンパネル部分に設置）の構成図。
【図１８】従来例のエレベータのかご内副誘導装置（リターンパネル部分に設置）の構成図。
【図１９】従来例のエレベータのかご内主誘導装置（側板に設置）の構成図。
【図２０】従来例のエレベータのかご内副誘導装置（側板に設置）の構成図。
【符号の説明】
【００６５】
１、２１、４１…かご内誘導装置
２、２２、４２…プレート
３、２３、４３…連絡用呼びボタン
４、２４、４４…戸閉ボタン
５、２５、４５…共通案内表示
６、２６、４６、４９…こちら側行先階ボタン
７、２７、４７、５０…こちら側戸開ボタン
８、２８、４８、５１…こちら側操作案内表示
９、２９…うしろ側行先階ボタン
１０、３０…うしろ側戸開ボタン
１１、３１…うしろ側操作案内表示
５２、６７…戸開案内灯
６１…かご戸
６２…かご幕板
６３、６４…プロジェクターまたはレーザー装置
６５、６６…戸開き側案内表示
６８…正面側銘板
６９…背面側銘板
【図１】
2005280886.tif 000003
【図２】
2005280886.tif 000004
【図３】
2005280886.tif 000005
【図４】
2005280886.tif 000006
【図５】
2005280886.tif 000007
【図６】
2005280886.tif 000008
【図７】
2005280886.tif 000009
【図８】
2005280886.tif 000010
【図９】
2005280886.tif 000011
【図１０】
2005280886.tif 000012
【図１１】
2005280886.tif 000013
【図１２】
2005280886.tif 000014
【図１３】
2005280886.tif 000015
【図１４】
2005280886.tif 000016
【図１５】
2005280886.tif 000017
【図１６】
2005280886.tif 000018
【図１７】
2005280886.tif 000019
【図１８】
2005280886.tif 000020
【図１９】
2005280886.tif 000021
【図２０】
2005280886.tif 000022